Podtech/llm-jp-corpus-v4-ja_patent huggingface dataset:
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
レンズ設置部に予め設置された眼内レンズを初期段階まで移動させる第１の押出機構と、
前記初期段階まで移動された前記眼内レンズを放出する第２の押出機構と
を有するプリロードタイプの眼内レンズ挿入器具と、
前記眼内レンズ挿入器具を収容するケースと
を備える眼内レンズ挿入装置において、
前記眼内レンズ挿入器具を前記ケースから取り出し可能に保持するロック機構を有し、
前記ロック機構は、前記第１の押出機構により前記眼内レンズを初期段階まで移動させることにより解除され、前記眼内レンズ挿入器具を前記ケースから取り出し可能とする
ことを特徴とする眼内レンズ挿入装置。
【請求項２】
前記眼内レンズは、光学部と一対の支持部とを有し、付加のかからない状態で前記レンズ設置部に設置されており、
前記第１の押出機構は、前記支持部が前記光学部内に折り曲げられた状態に変形する位置まで、前記レンズ設置部に設置された前記眼内レンズを移動させる
ことを特徴とする請求項１の眼内レンズ挿入装置。
【請求項３】
前記第２の押出機構が、前記眼内レンズに当接するロッドが設けられたプランジャーを有し、
前記第１の押出機構が、前記ロッドのレンズ接触部よりも面積が大きいレンズ当接面を先端に有するスライダーである
ことを特徴とする請求項１または２記載の眼内レンズ挿入装置。
【請求項４】
前記第１の押出機構の移動を制限するカバー部が着脱自在に前記ケースに設けられており、
前記レンズ設置部に粘弾性物質を注入してから、前記カバー部を外して、前記第１の押出機構を移動させるまでの操作順序を示す目印が設けられていることを特徴とする請求項１〜３のいずれか１項に記載の眼内レンズ挿入装置。
【手続補正２】
【補正対象書類名】明細書
【補正対象項目名】００１４
【補正方法】変更
【補正の内容】
【００１４】
請求項３に係る発明は、前記第２の押出機構が、前記眼内レンズに当接するロッドが設けられたプランジャーを有し、前記第１の押出機構が、前記ロッドのレンズ接触部よりも面積が大きいレンズ当接面を先端に有するスライダーであることを特徴とする。
【手続補正３】
【補正対象書類名】明細書
【補正対象項目名】００２６
【補正方法】変更
【補正の内容】
【００２６】
レンズ設置部２８は、図5に示すように、レンズ進行軸Ａを中心として水平に形成された設置部底面３４と、レンズ進行軸Ａを挟んで前記設置部底面３４の両側にレンズ進行軸Ａと平行に形成された枠体３６および設置された眼内レンズが前傾姿勢となるように形成されたレール３８とを備える。また、本図に示すように、スライダー６の先端６Ａは、後述するロッド５２のレンズ接触部５６よりも面積が大きいレンズ当接面を有する。なお、眼内レンズ４０は、光学部４２と、一対の支持部４４，４６とからなる。
【手続補正４】
【補正対象書類名】明細書
【補正対象項目名】００４３
【補正方法】変更
【補正の内容】
【００４３】
次いで、スライダー６を取出し凹部６８の前端に当接するまで前方へ移動する。これにより、眼内レンズ４０は、レンズ設置部２８から初期段階、すなわち移行部２０まで移動する。移動に伴い、眼内レンズ４０は、図14に示すように、前方に配置された支持部４４が突起部７４に当接することにより、前記支持部４４の先端が光学部４２の上面側へ曲がる。また、後方に配置された支持部４６は、スライダー６のレンズ当接面によってすくい上げられ光学部４２の上面に曲げられる。このように、眼内レンズ４０は、レンズ設置部２８から初期段階まで移動することにより、支持部４４，４６が光学部の上面側に折り曲げられた状態に変形する。このとき光学部４２の前方側の外縁も上方に折り曲げられた状態となっている。
【手続補正書】
【提出日】平成25年6月6日(2013.6.6)
【手続補正１】
【補正対象書類名】明細書
【補正対象項目名】００４２
【補正方法】変更
【補正の内容】
【００４２】
具体的には、左右のピリオンステップブラケット５１Ｌ、５１Ｒの下部に設けた嵌合部１１５に、各々、左右のピボットプレートカバー２７Ｌ、２７Ｒが取付けられ、左右のピリオンステップブラケット５１Ｌ、５１Ｒの上部に設けた嵌合部１１５に、左右のリヤサイドカバー２４Ｌ、２４Ｒが取付けられている。嵌合部１１５については、後述する図７にて説明する。
【手続補正２】
【補正対象書類名】明細書
【補正対象項目名】００５０
【補正方法】変更
【補正の内容】
【００５０】
次に、ピリオンステップステーの縁に付設した複数の嵌合部への取付構造について、左のピボットプレートカバーを例に上げて説明する。
図７に示されているように、左のピボットプレートカバー２７Ｌ（図２参照）の後部内側に車両内方へ突設させた突設片１４２がグロメット１１５Ｇに係止される。このグロメット１１５Ｇは、左のピリオンステップブラケット５１Ｌの下部に形成した嵌合孔１１５に取付けられている。つまり、突設片１４２は、グロメット１１５Ｇを介して左のピボットプレートカバー２７Ｌに設けた嵌合孔１１５に取付けられている。
【手続補正３】
【補正対象書類名】明細書
【補正対象項目名】００５１
【補正方法】変更
【補正の内容】
【００５１】
なお、右のピボットプレートカバー２７Ｒ及び左右のリヤサイドカバー２４Ｌ、２４Ｒに設けられている嵌合孔１１５の構造及び突設片１４２の嵌合形態も上記と同様なものであり説明を省略する。
【手続補正４】
【補正対象書類名】明細書
【補正対象項目名】００８３
【補正方法】変更
【補正の内容】
【００８３】
左右のシートレール４３Ｌ、４３Ｒに、各々、ステー取付部２４５Ｌ、２４５Ｒを介して左右のピリオンステップブラケット５１Ｌ、５１Ｒが取付けられ、これらの左右のピリオンステップブラケット５１Ｌ、５１Ｒの縁に設けられカバーの内面に突設されている複数の嵌合孔１１５に、グロメット（図７、符号１１５Ｇ）が設けられている。そして、左右のリヤサイドカバー２４Ｌ、２４Ｒの内面に突設されている突設片１４２がグロメット１１５Ｇを介して嵌入されると共に左右のピボットプレートカバー２７Ｌ、２７Ｒの内面に突設されている突設片１４２がグロメット１１５Ｇを介して嵌入される。すなわち、左右のピリオンステップブラケット５１Ｌ、５１Ｒに、左右のピボットプレートカバー２７Ｌ、２７Ｒが取付けられると共に左右のリヤサイドカバー２４Ｌ、２４Ｒが係止される。
【手続補正５】
【補正対象書類名】明細書
【補正対象項目名】０１２１
【補正方法】変更
【補正の内容】
【０１２１】
尚、本発明は、実施の形態では自動二輪車に適用したが、三輪車にも適用可能であり、一般の鞍乗り型車両に適用することは差し支えない。
【手続補正書】
【提出日】平成25年6月6日(2013.6.6)
【手続補正１】
【補正対象書類名】明細書
【補正対象項目名】０００８
【補正方法】変更
【補正の内容】
【０００８】
請求項１に係る発明は、ヘッドパイプと、このヘッドパイプから後方且つ下方に向けて延出されるメインフレームと、このメインフレームの後部から車両後方に延出される左右一対のシートレールと、メインフレームの下方に配置されメインフレームに懸架されているエンジンと、メインフレームの後部から垂下されるピボットプレートと、このピボットプレートに揺動自在に軸支され後部に後輪を回転自在に支持するスイングアームと、メインフレーム及びエンジンを外側方から覆うサイドカバーと、このサイドカバーの下縁に連続して配置されピボットプレートを外側方から覆う左右のピボットプレートカバーと、を有する鞍乗り型車両において、ピボットプレートと左右のピボットプレートカバーとの間に、ピボット導風空間が確保できるように、左右のピボットプレートカバーは、ピボットプレートから離間して配置されていることを特徴とする。
【手続補正２】
【補正対象書類名】明細書
【補正対象項目名】００４８
【補正方法】変更
【補正の内容】
【００４８】
具体的には、左右のピリオンステップブラケット５１Ｌ、５１Ｒの下部に設けた嵌合部１１５に、各々、左右のピボットプレートカバー２７Ｌ、２７Ｒが取付けられ、左右のピリオンステップブラケット５１Ｌ、５１Ｒの上部に設けた嵌合部１１５に、左右のリヤサイドカバー２４Ｌ、２４Ｒが取付けられている。嵌合部１１５については、後述する図７にて説明する。
【手続補正３】
【補正対象書類名】明細書
【補正対象項目名】００５６
【補正方法】変更
【補正の内容】
【００５６】
次に、ピリオンステップステーの縁に付設した複数の嵌合部への取付構造について、左のピボットプレートカバーを例に上げて説明する。
図７に示されているように、左のピボットプレートカバー２７Ｌ（図２参照）の後部内側に車両内方へ突設させた突設片１４２がグロメット１１５Ｇに係止される。このグロメット１１５Ｇは、左のピリオンステップブラケット５１Ｌの下部に形成した嵌合孔１１５に取付けられている。つまり、突設片１４２は、グロメット１１５Ｇを介して左のピボットプレートカバー２７Ｌに設けた嵌合孔１１５に取付けられている。
【手続補正４】
【補正対象書類名】明細書
【補正対象項目名】００５７
【補正方法】変更
【補正の内容】
【００５７】
なお、右のピボットプレートカバー２７Ｒ及び左右のリヤサイドカバー２４Ｌ、２４Ｒに設けられている嵌合孔１１５の構造及び突設片１４２の嵌合形態も上記と同様なものであり説明を省略する。
【手続補正５】
【補正対象書類名】明細書
【補正対象項目名】００８９
【補正方法】変更
【補正の内容】
【００８９】
左右のシートレール４３Ｌ、４３Ｒに、各々、ステー取付部２４５Ｌ、２４５Ｒを介して左右のピリオンステップブラケット５１Ｌ、５１Ｒが取付けられ、これらの左右のピリオンステップブラケット５１Ｌ、５１Ｒの縁に設けられカバーの内面に突設されている複数の嵌合孔１１５に、グロメット（図７、符号１１５Ｇ）が設けられている。そして、左右のリヤサイドカバー２４Ｌ、２４Ｒの内面に突設されている突設片１４２がグロメット１１５Ｇを介して嵌入されると共に左右のピボットプレートカバー２７Ｌ、２７Ｒの内面に突設されている突設片１４２がグロメット１１５Ｇを介して嵌入される。すなわち、左右のピリオンステップブラケット５１Ｌ、５１Ｒに、左右のピボットプレートカバー２７Ｌ、２７Ｒが取付けられると共に左右のリヤサイドカバー２４Ｌ、２４Ｒが係止される。
【手続補正６】
【補正対象書類名】明細書
【補正対象項目名】０１２７
【補正方法】変更
【補正の内容】
【０１２７】
尚、本発明は、実施の形態では自動二輪車に適用したが、三輪車にも適用可能であり、一般の鞍乗り型車両に適用することは差し支えない。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
連続媒体を順次供給する供給手段と、
前記供給手段によって供給された前記連続媒体における被印刷領域を、前記連続媒体の被印刷面の反対側の裏面において吸着保持する保持手段と、
前記保持手段を、前記連続媒体の前記保持手段に吸着保持された部分における前記連続媒体の長さ方向に略平行または平行な副走査方向に走査させる副走査手段と、
液状体を吐出する吐出手段と、
前記吐出手段を、前記連続媒体の前記保持手段によって吸着保持された部分における前記連続媒体の面に略平行または平行な方向であって、前記副走査方向と交差する主走査方向に走査させる主走査手段と、
前記液状体を硬化させる硬化光を照射する硬化光源と、
前記硬化光源を、前記主走査方向に略平行または平行な光源走査方向に走査させる光源走査手段と、を備え、
前記吐出手段は、前記主走査手段によって前記吐出手段を前記主走査方向に走査させ、前記副走査手段によって前記保持手段を前記副走査方向に走査させることによって、前記保持手段に吸着保持された前記被印刷領域の前記被印刷面に向けて前記液状体を吐出可能となる位置に配設されており、
前記硬化光源は、前記光源走査手段によって前記硬化光源を前記光源走査方向に走査させ、前記副走査手段によって前記保持手段を前記副走査方向に走査させることによって、前記保持手段に吸着保持された前記被印刷領域の前記被印刷面に向けて前記硬化光を照射可能となる位置に配設されていることを特徴とする印刷装置。
【請求項２】
前記吐出手段と前記硬化光源とは、前記副走査方向において、同時に前記保持手段の吸着保持面に対向可能な距離を隔てて配設されていることを特徴とする、請求項１に記載の印刷装置。
【請求項３】
前記硬化光源は、互いに独立して走査可能な複数の副硬化光源を備えることを 
特徴とする、請求項１又は２に記載の印刷装置。
【請求項４】
前記光源走査手段は、複数の副光源走査手段を備え、それぞれの副光源走査手段は、互いに異なる前記副硬化光源を走査させることを特徴とする、請求項３に記載の印刷装置。
【請求項５】
前記光源走査手段による走査速度は、前記主走査手段による走査速度と同じ又はそれ以上であり、前記硬化光源は、前記連続媒体における前記光源走査手段による走査の間に前記硬化光源が対向する部分に配置された前記液状体を硬化させることが可能な光量の前記硬化光を照射可能であることを特徴とする、請求項１又は２に記載の印刷装置。
【請求項６】
前記光源走査手段による走査速度は、前記主走査手段による走査速度の少なくとも２倍以上であることを特徴とする、請求項５に記載の印刷装置。
【請求項７】
前記硬化光源及び前記副硬化光源は、前記液状体を硬化率が９５％以上に硬化させる前記硬化光を照射することを特徴とする、請求項１乃至６のいずれか１項に記載の印刷装置。
【請求項８】
連続媒体における被印刷領域を、前記連続媒体の被印刷面の反対側の裏面において、保持手段によって吸着保持し、前記被印刷領域の前記被印刷面に向けて液状体を吐出する吐出手段及び前記被印刷面に着弾した前記液状体に向けて硬化光を照射する硬化光源を用いて前記連続媒体に印刷する印刷方法であって、
前記被印刷領域の前記裏面を前記保持手段によって吸着する吸着工程と、
前記連続媒体の前記保持手段によって吸着保持された部分における前記連続媒体の長尺方向に略平行または平行な副走査方向に、前記保持手段を移動させることによって前記被印刷領域を前記吐出手段に対して相対移動させる改行工程と、前記連続媒体の前記保持手段によって吸着保持された部分における前記連続媒体の面方向に略平行または平行であって、前記副走査方向に交差する方向である主走査方向に前記吐出手段を走査させると共に、前記吐出手段から前記被印刷領域の前記被印刷面に向けて前記液状体を吐出する印刷吐出走査工程と、を有する印刷吐出工程と、
前記改行工程において前記副走査方向に前記保持手段を移動させることによって、又は前記改行工程と同様に前記副走査方向に前記保持手段を移動させることによって、前記被印刷領域を前記硬化光源に対して相対移動させる第二改行工程と、前記主走査方向と略平行または平行な光源走査方向に前記硬化光源を走査させると共に、前記印刷吐出走査工程において前記保持手段によって吸着保持された部分に配置された前記液状体に、当該部分が前記保持手段によって吸着保持された状態を維持して、前記硬化光源から前記硬化光を照射する照射走査工程と、を有する硬化工程と、を有することを特徴とする印刷方法。
【請求項９】
前記吐出手段と前記硬化光源とは、前記副走査方向において、同時に前記保持手段の吸着保持面に対向可能な距離を隔てて配設されており、前記印刷吐出工程は、前記照射走査工程と略並行して実施される前記印刷吐出走査工程を含むことを特徴とする、請求項８に記載の印刷方法。
【請求項１０】
前記照射走査工程は、前記硬化光源を構成する複数の副硬化光源のそれぞれの副硬化光源を互いに独立して走査させるとともに、前記副硬化光源から前記硬化光を照射する副照射走査工程を有することを特徴とする、請求項８又は９に記載の印刷方法。
【請求項１１】
前記副照射走査工程では、複数の副光源走査手段を用いて、それぞれの副光源走査手段に、互いに異なる前記副硬化光源を走査させることを特徴とする、請求項１０に記載の印刷方法。
【請求項１２】
前記照射走査工程における走査速度は、前記印刷吐出走査工程における走査速度と同じ又はそれ以上であり、前記硬化光源は、前記連続媒体における前記照射走査工程の間に対向する部分に配置された前記液状体を硬化させることが可能な光量の前記硬化光を照射可能であることを特徴とする、請求項８又は９に記載の印刷方法。
【請求項１３】
前記照射走査工程と前記印刷吐出走査工程とを略並行して実施し、１回の前記印刷吐出走査工程の間に、複数回数の前記照射走査工程を実施し、前記硬化光源は、前記連続媒体における複数回数の前記照射走査工程の間に前記硬化光源が対向する部分に配置された前記液状体を硬化させることが可能な光量の前記硬化光を照射することを特徴とする、請求項１２に記載の印刷方法。
【請求項１４】
前記照射走査工程では、前記液状体を硬化率が９５％以上に硬化させることを特徴とする、請求項８乃至１３のいずれか１項に記載の印刷方法
【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
少なくとも２層以上のポリエステルからなる層が積層された積層ポリエステルフィルムであって、両最表層のうち単位体積あたりの粒子数が多い最表層を層Ａもう一方の最表層を層Ｂとしたとき、層Ａおよび層Ｂの粒子体積の比（層Ａ／層Ｂ）が３．０以上であり、かつ、層Ｂの表面の中心線平均粗さＳＲａが５〜２５ｎｍ、十点平均粗さＳＲｚが１００〜４００ｎｍであり、かつ、フィルムの厚みが２５〜５５μｍである二軸配向積層ポリエステルフィルム。
【請求項２】
フィルム表面に塗布層を有しない状態で１６０℃、３０分の加熱処理後の層Ａの表面に析出するオリゴマー量が６．０ｍｇ／ｍ２以下であることを特徴とする請求項１に記載の二軸配向積層ポリエステルフィルム。
【請求項３】
層間絶縁樹脂支持体用として使用される請求項１または２に記載の二軸配向積層ポリエステルフィルム。
【請求項４】
１５０℃熱収縮率が一方の方向で１．０〜２．５％、該一方の方向に直交する方向で０．３％〜１．０％である請求項１〜３の何れかに記載の二軸配向積層ポリエステルフィルム。
【請求項５】
請求項１〜４の何れか記載の二軸配向積層ポリエステルの層Ｂ側表面に直接または離型層を介して層間絶縁樹脂層が設けられていることを特徴とする層間絶縁樹脂形成材。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
複数の記録素子が配列された記録ヘッドを、前記記録素子の配列方向と交差する方向に被記録媒体と相対的に移動させて記録を行う際の画像処理を行う画像処理装置であって、
前記記録素子の配列方向に対する前記被記録媒体の傾きに関する傾き情報を取得する第１取得手段と、
前記第１取得手段により取得した傾き情報に基づいて、前記複数の記録素子のうち画像データの記録に使用する記録素子を特定する特定手段と、
前記特定手段により特定された記録素子に対応する補正情報を取得する第２取得手段と、
前記第２取得手段により取得された補正情報に基づいて、前記画像データに対して補正を行う補正手段と、
を備えることを特徴とする画像処理装置。
【請求項２】
前記複数の記録素子のうち記録に使用する記録素子は、前記第１取得手段により取得した傾き情報に応じて変わることを特徴とする請求項１に記載の画像処理装置。
【請求項３】
前記第１取得手段により取得した傾き情報がスキューの発生があったことを特定する情報である場合、前記第２取得手段により取得する補正情報は、所定ラスタ毎に異なることを特徴とする請求項１又は２に記載の画像処理装置。
【請求項４】
前記補正情報は、各記録素子の記録特性に応じて記録素子に設定される補正情報であることを特徴とする請求項１〜３のいずれか１項に記載の画像処理装置。
【請求項５】
前記複数の記録素子は複数のグループに分けられ、
前記特定手段は画像データの記録に使用するグループを特定し、
前記補正情報は、各記録素子の記録特性に応じてグループ毎に設定される補正情報であることを特徴とする請求項１〜４のいずれか１項に記載の画像処理装置。
【請求項６】
前記補正情報は、各グループに対応する補正テーブルであることを特徴とする請求項５に記載の画像処理装置。
【請求項７】
前記複数の記録素子は複数のグループに分けられ、
前記特定手段は画像データの記録に使用するグループを特定し、
前記画像処理装置は、前記特定手段により特定されたグループに対応する補正テーブルを特定する特定情報を取得する第３取得手段をさらに備え、
前記第２特定手段は、前記第３取得手段により取得した特定情報に基づいて、複数の補正テーブルから前記特定手段により特定されたグループに対応する補正テーブルを前記補正情報として取得することを特徴とする請求項１〜６のいずれか１項に記載の画像処理装置。
【請求項８】
前記補正手段は、前記画像データの濃度補正及び前記画像データの輝度補正のうち少なくとも一方を行うことを特徴とする請求項１〜７のいずれか１項に記載の画像処理装置。
【請求項９】
前記補正情報は、前記画像データの各濃度レベルに対応する補正量を特定する情報であることを特徴とする請求項１〜８のいずれか１項に記載の画像処理装置。
【請求項１０】
前記補正情報は、前記画像データの各輝度レベルに対応する補正量を特定する情報であることを特徴とする請求項１〜９のいずれか１項に記載の画像処理装置。
【請求項１１】
前記記録素子の配列方向に対する前記被記録媒体のスキュー量を検知する検知手段をさらに備え、
前記第１取得手段は、前記検知手段により取得したスキュー量を傾き情報として取得することを特徴とする請求項１〜１０のいずれか１項に記載の画像処理装置。
【請求項１２】
前記補正手段は、前記画像データを前記記録素子の配列方向において複数のグループに分けた際に、当該画像データのグループ毎に補正を行うことを特徴とする請求項１〜１１のいずれか１項に記載の画像処理装置。
【請求項１３】
複数の記録素子が配列された記録ヘッドを、前記記録素子の配列方向と交差する方向に被記録媒体と相対的に移動させて記録を行う際の画像処理を行う画像処理方法であって、
前記記録素子の配列方向に対する前記被記録媒体の傾きに関する傾き情報を取得し、
取得した傾き情報に基づいて、前記複数の記録素子のうち画像データの記録に使用する記録素子を特定し、
特定された記録素子に対応する補正情報を取得し、
取得された補正情報に基づいて、前記画像データに対して補正を行うことを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、画像処理装置及び画像処理方法に関するものである。
【手続補正４】
【補正対象書類名】明細書
【補正対象項目名】０００５
【補正方法】変更
【補正の内容】
【０００５】
本発明は、上記課題を解決するための画像処理装置及び画像処理方法を提供する。
【手続補正５】
【補正対象書類名】明細書
【補正対象項目名】０００６
【補正方法】変更
【補正の内容】
【０００６】
上記課題を解決するために、本発明の画像処理装置は、複数の記録素子が配列された記録ヘッドを、前記記録素子の配列方向と交差する方向に被記録媒体と相対的に移動させて記録を行う際の画像処理を行う画像処理装置であって、前記記録素子の配列方向に対する前記被記録媒体の傾きに関する傾き情報を取得する第１取得手段と、前記第１取得手段により取得した傾き情報に基づいて、前記複数の記録素子のうち画像データの記録に使用する記録素子を特定する特定手段と、前記特定手段により特定された記録素子に対応する補正情報を取得する第２取得手段と、前記第２取得手段により取得された補正情報に基づいて、前記画像データに対して補正を行う補正手段と、を備える。
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
金型における固定側金型と可動側金型とにより形成されたキャビティ内に、気体の注入を伴うガスアシストによって樹脂の射出成形を行う際に用いるガスアシスト射出成形用金型装置であって、
前記固定側金型の、前記気体が排出される口に接続された第１の圧力計と、
前記可動側金型の、前記気体が排出される口に接続された第２の圧力計と、
前記射出成形中に、前記第１の圧力計と前記第２の圧力計とにより測定された圧力をロギングする手段と、
を有することを特徴とするガスアシスト射出成形用金型装置。
【請求項２】
前記固定側金型の、前記気体が排出される口は、前記気体を金型に供給するガス供給口を兼ねていることを特徴とする請求項１に記載のガスアシスト射出成形用金型装置。
【請求項３】
金型における固定側金型と可動側金型とにより形成されたキャビティ内に、気体の注入を伴うガスアシストによって射出成形を行う成形品の製造方法であって、
前記固定側金型の、前記気体が排出される口に接続された第１の圧力計と、
前記可動側金型の、前記気体が排出される口に接続された第２の圧力計と、
を用い、前記ガスアシストによる射出成形中に前記第１の圧力計と前記第２の圧力計とにより測定された圧力を比較し、前記固定側金型と前記可動側金型の気密状態を検知して射出成形を行うことを特徴とする成形品の製造方法。
【請求項４】
前記固定側金型の、前記気体が排出される口は、前記気体を金型に供給するガス供給口を兼ねていることを特徴とする請求項３に記載の成形品の製造方法。
【請求項５】
前記ロギングする手段は、ショットカウント毎に第１圧の力計および第２の圧力計の値をロギングし、前記値により成形品の良否を判定することを特徴とする請求項３または４に記載の成形品の製造方法。
【手続補正２】
【補正対象書類名】明細書
【補正対象項目名】発明の名称
【補正方法】変更
【補正の内容】
【発明の名称】ガスアシスト射出成形用金型装置と成形品の製造方法
【手続補正３】
【補正対象書類名】明細書
【補正対象項目名】０００１
【補正方法】変更
【補正の内容】
【０００１】
本発明は、ガスアシスト射出成形用金型装置と成形品の製造方法に関する。特に、金型のキャビティ内に気体注入を伴う樹脂の射出成形方法であるガスアシスト射出成形において、カウンタプレッシャの安定性を高精度に保証する技術に関するものである。
【手続補正４】
【補正対象書類名】明細書
【補正対象項目名】０００７
【補正方法】変更
【補正の内容】
【０００７】
本発明は、上記課題に鑑み、金型内の気密状態を高精度に検知することができ、連続成形過程での成形品の品質を保証し、量産成形性の向上を図ることが可能となるガスアシスト射出成形用金型装置と成形品の製造方法の提供を目的とする。
【手続補正５】
【補正対象書類名】明細書
【補正対象項目名】０００８
【補正方法】変更
【補正の内容】
【０００８】
本発明は、つぎのように構成したガスアシスト射出成形用金型装置と成形品の製造方法を提供するものである。
本発明のガスアシスト射出成形用金型は、金型における固定側金型と可動側金型とにより形成されたキャビティ内に、気体の注入を伴うガスアシストによって樹脂の射出成形を行う際に用いるガスアシスト射出成形用金型装置であって、
前記固定側金型の、前記気体が排出される口に接続された第１の圧力計と、
前記可動側金型の、前記気体が排出される口に接続された第２の圧力計と、
前記射出成形中に、前記第１の圧力計と前記第２の圧力計とにより測定された圧力をロギングする手段と、
を有することを特徴とする。
また、本発明の成形品の製造方法は、金型における固定側金型と可動側金型とにより形成されたキャビティ内に、気体の注入を伴うガスアシストによって射出成形を行う成形品の製造方法であって、
前記固定側金型の、前記気体が排出される口に接続された第１の圧力計と、
前記可動側金型の、前記気体が排出される口に接続された第２の圧力計と、
を用い、前記ガスアシストによる射出成形中に前記第１の圧力計と前記第２の圧力計とにより測定された圧力を比較し、前記固定側金型と前記可動側金型の気密状態を検知して射出成形を行うことを特徴とする。
【手続補正６】
【補正対象書類名】明細書
【補正対象項目名】０００９
【補正方法】変更
【補正の内容】
【０００９】
本発明によれば、金型内の気密状態を高精度に検知することができ、連続成形過程での成形品の品質を保証し、量産成形性の向上を図ることが可能となるガスアシスト射出成形用金型装置と成形品の製造方法を実現することができる。
【手続補正書】
【提出日】平成25年3月21日(2013.3.21)
【手続補正１】
【補正対象書類名】明細書
【補正対象項目名】０００７
【補正方法】変更
【補正の内容】
【０００７】
本発明は、上記事情に鑑みてなされたものであり、短時間で、高精度に記録ヘッドの位置を検出することが可能な記録装置を提供することを目的とする。
【手続補正２】
【補正対象書類名】明細書
【補正対象項目名】０００９
【補正方法】変更
【補正の内容】
【０００９】
＜記録装置＞
本発明にかかる記録装置は、
インクを吐出するノズル列を主走査方向に少なくとも２つ備えた記録ヘッドと、
２つのノズル列から順次インクを吐出させる吐出制御手段と、
光を発光するとともに、当該光の幅は、前記記録ヘッドが停止した状態で前記２つのノズル列から吐出された各インクと交わる幅である発光素子と、
前記ノズル列から吐出したインクが前記発光素子から発光する光と交わると出力信号のレベルを変化させる、前記発光素子に対応した受光素子と、
前記吐出制御手段によって２つのノズル列から順次吐出した各インクにより各出力信号のレベルが変化したときに、前記記録ヘッドの位置を検出する記録ヘッド位置検出手段と、を備えることを特徴とする。
【手続補正３】
【補正対象書類名】明細書
【補正対象項目名】００１０
【補正方法】変更
【補正の内容】
【００１０】
本発明によれば、短時間で、高精度に記録ヘッドの位置を検出することができる。
【手続補正４】
【補正対象書類名】特許請求の範囲
【補正対象項目名】全文
【補正方法】変更
【補正の内容】
【特許請求の範囲】
【請求項１】
インクを吐出するノズル列を主走査方向に少なくとも２つ備えた記録ヘッドと、
２つのノズル列から順次インクを吐出させる吐出制御手段と、
光を発光するとともに、当該光の幅は、前記記録ヘッドが停止した状態で前記２つのノズル列から吐出された各インクと交わる幅である発光素子と、
前記ノズル列から吐出したインクが前記発光素子から発光する光と交わると出力信号のレベルを変化させる、前記発光素子に対応した受光素子と、
前記吐出制御手段によって２つのノズル列から順次吐出した各インクにより各出力信号のレベルが変化したときに、前記記録ヘッドの位置を検出する記録ヘッド位置検出手段と、を備えることを特徴とする記録装置。
【請求項２】
前記記録ヘッド位置検出手段は、
前記２つのノズル列から順次吐出した各インクにより１つの出力信号のレベルだけが変化した場合に、前記出力信号の出力幅を基に、前記出力幅に応じた距離だけ前記記録ヘッドの位置を調整することを特徴とする請求項１記載の記録装置。
【請求項３】
前記出力幅と、前記出力幅に応じた距離と、の関係を対応付けて管理する管理テーブルを有し、
前記記録ヘッド位置検出手段は、
前記出力信号の出力幅に対応する前記距離を前記管理テーブルから取得し、前記出力幅に応じた前記距離だけ前記記録ヘッドの位置を調整することを特徴とする請求項２記載の記録装置。
【請求項４】
前記記録ヘッド位置検出手段は、
前記２つのノズル列から順次吐出した各インクにより何れの出力信号のレベルも変化しなかった場合に、前記２つのノズル列の間隔を基に前記記録ヘッドを移動させ、前記吐出制御手段によって前記２つのノズル列からインクを順次吐出させ、前記２つのノズル列から順次吐出した各インクにより少なくとも１つの出力信号のレベルが変化するまで、前記２つのノズル列の間隔を基に前記記録ヘッドを移動させ、前記吐出制御手段によって前記２つのノズル列からインクを順次吐出させることを特徴とする請求項１から３の何れか１項に記載の記録装置。
【請求項５】
前記記録ヘッド位置検出手段は、
何れの出力信号のレベルも変化しなかった場合の回数が奇数回の場合は、前記２つのノズル列の間隔を基に、前記記録ヘッドを一方向に移動させ、前記回数が偶数回の場合は、前記２つのノズル列の間隔を基に、前記記録ヘッドを前記一方向とは逆方向に移動させ、前記回数に応じて前記記録ヘッドの移動幅を広げて前記記録ヘッドを移動させることを特徴とする請求項４記載の記録装置。
【請求項６】
前記記録ヘッドの移動回数が所定の回数に到達した場合に、その旨を通知する通知手段を有することを特徴とする請求項５記載の記録装置。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
同一のインクによる複数回の記録走査により記録媒体上の同一領域に画像を形成する画像形成装置のための情報処理装置であって、
画像データと目標光沢度とを入力する入力手段と、
前記記録走査毎の記録パターンのパターンセットを複数個記憶する記憶手段と、
前記画像データと前記目標光沢度とに基づき、前記パターンセットを選択的に用いることにより、前記記録パターンに応じたパターンデータを生成する生成手段と、
を備え、
前記複数個のパターンセットのうち少なくとも１組は、前記同一領域に対する記録走査毎の記録パターンの間引き率が異なる
ことを特徴とする情報処理装置。
【請求項２】
前記パターンセットは、前記同一領域への記録走査が複数回行われるに従い、各記録走査の記録量が少なくなる記録パターンを含む
ことを特徴とする請求項１に記載の情報処理装置。
【請求項３】
記録媒体の種別毎に光沢度情報を記憶する光沢度情報記憶手段と、
画像を形成する対象となる記録媒体の種別を設定する設定手段と、
を更に備え、
前記入力手段は、前記設定手段により設定された記録媒体に対応する光沢度を前記目標光沢度として入力する
ことを特徴とする請求項１又は２に記載の情報処理装置。
【請求項４】
前記入力手段は、前記画像データと共に該画像データに関連付けられた光沢度情報を合わせて入力し、前記目標光沢度として受け付ける
ことを特徴とする請求項１乃至３の何れか一項に記載の情報処理装置。
【請求項５】
記録媒体上に形成された画像の光沢度を光学的に測定する光沢測定手段を更に備え、
前記生成手段は、前記光沢測定手段により測定された光沢度に基づいて、複数個のパターンセットの中から１つのパターンセットを選択する
ことを特徴とする請求項１乃至４の何れか一項に記載の情報処理装置。
【請求項６】
同一のインクによる複数回の記録走査により記録媒体上の同一領域に画像を形成する画像形成装置における情報処理方法であって、
画像データと目標光沢度とを入力する入力工程と、
前記記録走査毎の記録パターンのパターンセットを記憶部に複数個記憶する記憶工程と、
前記画像データと前記目標光沢度とに基づき、前記記憶部に記憶された複数個のパターンセットを選択的に用いることにより、前記記録パターンに応じたパターンデータを生成する生成工程と、
を含み、
前記複数個のパターンセットのうち少なくとも１組は、前記同一領域に対する記録走査毎の記録パターンの間引き率が異なる
ことを特徴とする情報処理方法。
【請求項７】
コンピュータを請求項１乃至５の何れか一項に記載の情報処理装置の各手段として機能させるためのコンピュータプログラム。
【手続補正２】
【補正対象書類名】明細書
【補正対象項目名】発明の名称
【補正方法】変更
【補正の内容】
【発明の名称】情報処理装置および情報処理方法
【手続補正３】
【補正対象書類名】明細書
【補正対象項目名】０００９
【補正方法】変更
【補正の内容】
【０００９】
上述の１以上の問題を解決するため、本発明の情報処理装置は以下の構成を備える。すなわち、同一のインクによる複数回の記録走査により記録媒体上の同一領域に画像を形成する画像形成装置のための情報処理装置において、画像データと目標光沢度とを入力する入力手段と、前記記録走査毎の記録パターンのパターンセットを複数個記憶する記憶手段と、前記画像データと前記目標光沢度とに基づき、前記パターンセットを選択的に用いることにより、前記記録パターンに応じたパターンデータを生成する生成手段と、を備え、前記複数個のパターンセットのうち少なくとも１組は、前記同一領域に対する記録走査毎の記録パターンの間引き率が異なる。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
複数の吐出口が配列して形成された吐出面を有し、前記吐出口から溶液を液滴として吐出する塗布ヘッドと、
前記塗布ヘッドにおける前記複数の吐出口の配列長さ以上の長さを有し、前記吐出口の配列方向に交差する方向において前記吐出面を払拭する吸液性のワイピング部材と、
前記配列方向に沿って設けられ、かつ、前記配列方向に沿って複数の吐出孔が形成されてなる配管を有し、前記吐出孔から前記ワイピング部材に、前記溶液の溶質を溶かす溶剤を供給する溶剤供給部と、
を備えることを特徴とする塗布装置。
【請求項２】
前記吐出孔から吐出される前記溶剤の吐出量を調整する調整部をさらに備えることを特徴とする請求項１記載の塗布装置。
【請求項３】
前記配管は、前記配列方向に沿う一端側から前記溶剤が供給され、
前記複数の吐出孔は、前記一端側に近い吐出孔からの吐出量よりも遠い吐出孔からの吐出量が多いことを特徴とする請求項１又は２記載の塗布装置。
【手続補正２】
【補正対象書類名】明細書
【補正対象項目名】０００８
【補正方法】変更
【補正の内容】
【０００８】
本発明の実施形態に係る第１の特徴は、複数の吐出口が配列して形成された吐出面を有し、前記吐出口から溶液を液滴として吐出する塗布ヘッドと、
前記塗布ヘッドにおける前記複数の吐出口の配列長さ以上の長さを有し、前記吐出口の配列方向に交差する方向において前記吐出面を払拭する吸液性のワイピング部材と、
前記配列方向に沿って設けられ、かつ、前記配列方向に沿って複数の吐出孔が形成されてなる配管を有し、前記吐出孔から前記ワイピング部材に、前記溶液の溶質を溶かす溶剤を供給する溶剤供給部と、
を備えることである。
【手続補正３】
【補正対象書類名】明細書
【補正対象項目名】０００９
【補正方法】削除
【補正の内容】
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
被裁断材を載せる基盤（１０）と、スライダ（４０）が摺動可能に取り付けられるレール（３０）と、該レール（３０）を前記基盤（１０）に対して離接可能に取り付けるアーム（２０）と、を含んで構成された裁断機（１）であって、
前記スライダ（４０）は、鋭角な先端部（５１）から側縁部において刃先部（５２）を形成した切断刃（５０）を備え、上面を押し下げることで該刃先部（５２）の側に向けて回動され、該刃先部（５２）が前記基盤に対して４０°〜７０°の角度をなす位置で停止されるように構成されたことを特徴とするものである。
【請求項２】
前記スライダ（４０）の上面を、切断開始側の方（４３ａ）が高くなるように構成したことを特徴とする請求項１に記載の裁断機。
【請求項３】
前記スライダ（４０）の上面に、前記切断刃（５０）の回動が停止した際の刃先部（５２）の位置を示す表示（４６）を設けたことを特徴とする請求項１又は請求項２に記載の裁断機。
【請求項４】
前記スライダ（４０）の上面に、前記切断刃（５０）の刃面に沿ったラインを表示する切断ライン表示（４７）を設けたことを特徴とする請求項１〜請求項３のいずれか１つの請求項に記載の裁断機。
【手続補正２】
【補正対象書類名】明細書
【補正対象項目名】０００６
【補正方法】変更
【補正の内容】
【０００６】
上記課題を解決するために、本考案に係る裁断機は、被裁断材を載せる基盤と、スライダが摺動可能に取り付けられるレールと、該レールを前記基盤に対して離接可能に取り付けるアームと、を含んで構成された裁断機であって、前記スライダは、鋭角な先端部から側縁部において刃先部を形成した切断刃を備え、上面を押し下げることで該刃先部の側に向けて回動され、該刃先部が前記基盤に対して４０°〜７０°の角度をなす位置で停止されるように構成されたことを特徴とするものである。
【手続補正３】
【補正対象書類名】明細書
【補正対象項目名】０００７
【補正方法】変更
【補正の内容】
【０００７】
この場合、前記スライダの上面を、切断開始側の方が高くなるように構成してもよい。
また、前記スライダの上面に、前記切断刃の回動が停止した際の刃先部の位置を示す表示を設けてもよい。
また、前記スライダの上面に、前記切断刃の刃面に沿ったラインを表示する切断ライン表示を設けてもよい。
【手続補正４】
【補正対象書類名】明細書
【補正対象項目名】０００９
【補正方法】変更
【補正の内容】
【０００９】
特に、スライダを押し下げた際に、刃先部と基盤との間の角度が４０°乃至７０°の位置において、スライダの回動が停止するので、被裁断材の表面に対して所定の角度をもった状態で切り進むことができる。このため、滑らかな引き切りが可能となり、切断面に毛羽立ちが生ずるのを防止できる。
【手続補正５】
【補正対象書類名】明細書
【補正対象項目名】００１０
【補正方法】変更
【補正の内容】
【００１０】
請求項２に係る裁断機は、切断開始側の方が高くなるようにスライダの上面を構成したので、裁断方向の識別が容易にできる。
請求項３に係る裁断機は、スライダの上面に、切断刃が回動された際の刃先部の位置を示す表示を設けたので、切断開始位置の誤認を防止できる。
請求項４に係る裁断機は、スライダの上面に、切断刃の刃面に沿ったラインが表示されるので、切断ラインの誤認を防止できる。
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
駆動源であるモータと、
前記モータにより駆動される先端工具と、
前記先端工具を照射可能な発光体と、
を有する動力工具であって、
前記モータの温度が第１の温度になると、前記発光体が第１の駆動状態となり、
前記モータの温度が前記第１の温度よりも高温な第２の温度になると、前記発光体が第２の駆動状態となることを特徴とする動力工具。
【請求項２】
モータと、
スイッチング素子と、
第１動作を行う第１手段と、
前記モータ及び前記スイッチング素子の少なくとも一方の温度異常を検出する温度異常検出手段と、
前記第１手段が前記第１の動作を行っている状態で前記温度検出手段により前記温度異常が検出された場合に、前記第１動作を停止するように前記第１手段を制御する制御手段と、
を備えたことを特徴とする電動工具。
【請求項３】
モータと、
スイッチング素子と、
第１動作を行う第１手段と、
前記モータ及び前記スイッチング素子の少なくとも一方の温度異常を検出する温度異常検出手段と、
前記第１手段が前記第１動作を行う必要のない状態で前記温度検出手段により前記温度異常が検出された場合に、前記第１動作を行うように前記第１手段を制御する制御手段と、
を備えたことを特徴とする電動工具。
【請求項４】
駆動源であるモータと、
前記モータにより駆動される先端工具と、
前記先端工具を照射可能な発光体と、
を有する動力工具であって、
前記モータの温度が高温になると、前記発光体が点滅するように構成されたことを特徴とする動力工具。
【請求項５】
駆動源であるモータと、
前記モータにより駆動される先端工具と、
前記先端工具を照射可能な発光体と、
を有する動力工具であって、
前記モータの温度が第１の温度になると、前記発光体が第１の駆動状態となり、
前記モータの温度が前記第１の温度よりも低温な第３の温度になると、前記発光体が第３の駆動状態となることを特徴とする動力工具。
【請求項６】
モータと、
前記モータにより駆動される先端工具と、
前記先端工具を照射可能な発光体と、
前記発光体を点灯・消灯させるための操作部と、
を有する動力工具であって、
前記発光体が点灯した状態で前記モータの温度が所定の温度になった場合には前記発光体を点滅させた後に前記発光体を点灯させ、前記発光体が消灯した状態で前記モータの温度が所定の温度になった場合には前記発光体を点滅させた後に前記発光体を消灯させるように構成したことを特徴とする動力工具。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
錠剤が封入された錠剤収容部を少なくとも１つ備えた錠剤シートから錠剤を取り出す取出動作を行う錠剤取出手段と、
前記取出動作に応じた前記錠剤収容部からの落下物を検知する検知手段と、
前記検知手段によって検知された落下物の数が所定数より多い場合には、エラー処理を行うように要求するエラー処理要求手段と、
を有することを特徴とする錠剤供給装置。
【請求項２】
前記錠剤シートは、前記錠剤収容部を複数備えており、
前記所定数は、前記取出動作を行った前記錠剤収容部の数であることを特徴とする請求項１に記載の錠剤供給装置。
【請求項３】
請求項１または請求項２に記載の前記錠剤供給装置と、前記取り出された錠剤を個別のシート毎に分けて包装する包装手段と、前記個別のシート毎に情報を印字する印字手段と、を有する錠剤供給システムであって、
前記エラー処理要求手段による要求に従って、前記印字手段が前記個別のシートに前記エラー処理にかかる情報を印字することを特徴とする錠剤供給システム。
【請求項４】
前記錠剤供給装置は、
前記錠剤取出手段が取出動作中であるかいなかを判断する判断手段をさらに有し、
前記判断手段が取出動作中であると判断している場合と取出動作中ではないと判断している場合において、前記エラー処理を要求するために前記検知手段が検知する回数が異なることを特徴とする請求項１乃至請求項３のいずれか１項に記載の錠剤供給装置。
【請求項５】
前記検知手段は、前記判断手段が取出動作中ではないと判断している場合には、前記取出動作によらない取出しミスであると検知することを特徴とする請求項４に記載の錠剤供給装置。
【請求項６】
前記判断手段により取出動作中であると判断されている場合には、前記エラー処理を要求するために前記検知手段が検知する回数が少なくとも２に設定されていることを特徴とする請求項４または請求項５に記載の錠剤供給装置。
【請求項７】
前記判断手段により取出動作中ではないと判断されている場合には、前記エラー処理を要求するために前記検知手段が検知する回数が少なくとも１に設定されていることを特徴とする請求項４乃至請求項６のいずれか１項に記載の錠剤供給装置。
【請求項８】
前記錠剤供給システムは、
前記取り出された錠剤が、前記包装手段に包装されるタイミングを制御する制御手段を有し、
前記印字手段が、前記取り出された錠剤がシートに包装されるまえに前記エラー処理にかかる情報を印字することを特徴とする請求項３に記載の錠剤供給システム。
【請求項９】
前記要求されるエラー処理の１つは、前記取出動作による前記錠剤シートからの異物を報知するエラー処理であることを特徴とする請求項１乃至請求項８のいずれか１項に記載の錠剤供給装置。
【請求項１０】
前記要求されるエラー処理の１つは、前記錠剤の取出しミスを報知するエラー処理であることを特徴とする請求項１乃至請求項９のいずれか１項に記載の錠剤供給装置。
【請求項１１】
錠剤供給装置の錠剤取出手段が、錠剤が封入された錠剤収容部を少なくとも１つ備えた錠剤シートから錠剤を取り出す取出動作を行う錠剤取出工程と、
錠剤供給装置の検知手段が、前記取出動作に応じた前記錠剤収容部からの落下物を検知する検知工程と、
錠剤供給装置のエラー処理要求手段が、前記検知工程によって検知された落下物の数が所定数より多い場合には、エラー処理を行うように要求するエラー処理要求工程と、
を含むことを特徴とする錠剤供給装置の錠剤供給方法。
【手続補正２】
【補正対象書類名】明細書
【補正対象項目名】発明の名称
【補正方法】変更
【補正の内容】
【発明の名称】錠剤供給装置、錠剤供給方法。
【手続補正３】
【補正対象書類名】明細書
【補正対象項目名】０００１
【補正方法】変更
【補正の内容】
【０００１】
錠剤供給装置、錠剤供給方法に関する。
【手続補正４】
【補正対象書類名】明細書
【補正対象項目名】０００８
【補正方法】変更
【補正の内容】
【０００８】
本発明は、錠剤が封入された錠剤収容部を少なくとも１つ備えた錠剤シートから錠剤を取り出す取出動作を行う錠剤取出手段と、前記取出動作に応じた前記錠剤収容部からの落下物を検知する検知手段と、前記検知手段によって検知された落下物の数が所定数より多い場合には、エラー処理を行うように要求するエラー処理要求手段と、を有することを特徴とする。
【手続補正５】
【補正対象書類名】明細書
【補正対象項目名】０００９
【補正方法】変更
【補正の内容】
【０００９】
また、前記錠剤シートは、前記錠剤収容部を複数備えており、前記所定数は、前記取出動作を行った前記錠剤収容部の数であることを特徴とする。
【手続補正６】
【補正対象書類名】明細書
【補正対象項目名】００１０
【補正方法】変更
【補正の内容】
【００１０】
また、前記錠剤供給装置と、前記取り出された錠剤を個別のシート毎に分けて包装する包装手段と、前記個別のシート毎に情報を印字する印字手段と、を有する錠剤供給システムであって、前記エラー処理要求手段による要求に従って、前記印字手段が前記個別のシートに前記エラー処理にかかる情報を印字することを特徴とする。
【手続補正７】
【補正対象書類名】明細書
【補正対象項目名】００１１
【補正方法】変更
【補正の内容】
【００１１】
また、前記錠剤供給装置は、前記錠剤取出手段が取出動作中であるかいなかを判断する判断手段をさらに有し、前記判断手段が取出動作中であると判断している場合と取出動作中ではないと判断している場合において、前記エラー処理を要求するために前記検知手段が検知する回数が異なることを特徴とする。
また、前記検知手段は、前記判断手段が取出動作中ではないと判断している場合には、前記取出動作によらない取出しミスであると検知することを特徴とする。
【手続補正８】
【補正対象書類名】明細書
【補正対象項目名】００１２
【補正方法】変更
【補正の内容】
【００１２】
また、前記判断手段により取出動作中であると判断されている場合には、前記エラー処理を要求するために前記検知手段が検知する回数が少なくとも２に設定されていることを特徴とする。
また、前記判断手段により取出動作中ではないと判断されている場合には、前記エラー処理を要求するために前記検知手段が検知する回数が少なくとも１に設定されていることを特徴とする。
また、前記錠剤供給システムは、前記取り出された錠剤が、前記包装手段に包装されるタイミングを制御する制御手段を有し、前記印字手段が、前記取り出された錠剤がシートに包装されるまえに前記エラー処理にかかる情報を印字することを特徴とする。
また、前記要求されるエラー処理の１つは、前記取出動作による前記錠剤シートからの異物を報知するエラー処理であることを特徴とする。
また、前記要求されるエラー処理の１つは、前記錠剤の取出しミスを報知するエラー処理であることを特徴とする。
【手続補正書】
【提出日】平成25年9月5日(2013.9.5)
【手続補正１】
【補正対象書類名】特許請求の範囲
【補正対象項目名】請求項７
【補正方法】変更
【補正の内容】
【請求項７】
前記画像出力手段は、吐出不良のインク吐出ノズルの隣接ノズルから代替打滴を行う、又はインク打滴サイズを大きく変更することにより前記吐出不良のインク吐出ノズルの記録不良を補正する請求項６に記載の画像記録装置。
【手続補正２】
【補正対象書類名】明細書
【補正対象項目名】００１６
【補正方法】変更
【補正の内容】
【００１６】
画像出力手段は、吐出不良のインク吐出ノズルの隣接ノズルから代替打滴を行う、又はインク打滴サイズを大きく変更することにより吐出不良のインク吐出ノズルの記録不良を補正することが好ましい。これにより、適切に吐出不良のインク吐出ノズルの記録不良を補正することができる。